(57)【特許請求の範囲】
【請求項１】
体腔へのアクセス開口部を有する屠殺され内臓摘出された家禽の前記体腔の壁から、屠殺体の脊柱に隣接する、前記脊柱の両側の位置にある１つもしくは複数の臓器またはその一部を取り出すための臓器取り出しデバイスであって、
前記家禽の前記アクセス開口部および前記脊柱を支持し、位置決めするための家禽支持デバイスと、
２つの真空チューブを備える真空チューブアセンブリであって、各真空チューブはその端部に少なくとも１つの吸引ノズルを有し、前記真空チューブアセンブリは２つの掻器をさらに備え、各掻器は前記体腔の前記壁の領域に沿って掻き取り、前記壁に固着している臓器を緩めるように配置構成され、前記領域は前記脊柱の両側に位置し、前記掻器は前記吸引ノズルに隣接して設けられている、真空チューブアセンブリと、
前記真空チューブアセンブリを前記アクセス開口部を通して前記体腔に出し入れするための真空チューブアセンブリアクチュエータと、
前記吸引ノズルを介して前記１つまたは複数の臓器を前記真空チューブ内に吸引するため前記真空チューブと連通する真空圧力源と、を備えた、臓器取り出しデバイスにおいて、
各々の掻器に、前記脊柱から離れる、または前記脊柱の方へ向かう、スイーピング運動を行わせるように適合されたスイーピング機構が実現されることを特徴とする臓器取り出しデバイス。
【請求項２】
前記スイーピング機構は、前記掻器が前記体腔に入るときに掻き取らないように配置される進入モードと、前記スイーピング機構が各々の掻器にスイーピング運動を行わせることができる、前記体腔内に前記掻器が入れられた後の操作モードとの間で移動可能である、請求項１に記載のデバイス。
【請求項３】
各々の掻器は、関連する真空チューブに関して固定されて設けられ、前記スイーピング機構は、前記真空チューブを回転させて前記掻器をスイープするように適合される、請求項１および２の何れか一項に記載のデバイス。
【請求項４】
前記真空チューブは、その長さにわたって湾曲し、前記スイーピング機構の回転軸は、前記脊柱に隣接する、請求項３に記載のデバイス。
【請求項５】
前記掻器は、前記真空チューブに移動可能に取り付けられ、前記スイーピング機構が前記掻器を駆動する、請求項１から４の何れか一項に記載のデバイス。
【請求項６】
前記掻器は、肋骨の間の距離と本質的に同じ距離に突起部を備え、前記家禽の前記肋骨が前記突起部の間の谷に揃えられることができる、請求項１から５の何れか一項に記載のデバイス。
【請求項７】
前記真空チューブは、前記体腔の進入時に互いに向かい合う、請求項２または６に記載のデバイス。
【請求項８】
前記スイーピング機構は、前記掻器に、並進運動を行わせる、請求項１および４から７の何れか一項に記載のデバイス。
【請求項９】
前記真空圧力源は、前記真空チューブとの連通を交互に行う、請求項１から８の何れか一項に記載のデバイス。
【請求項１０】
前記真空チューブアセンブリは、前記真空チューブに本質的に平行に、また隣接して延在するブラケットをさらに備え、前記ブラケットの先端部は前記ブラケットの前記先端部が最初に前記アクセス開口部に入るように前記吸引ノズルを越えて延在し、前記ブラケットおよび前記真空チューブは前記真空チューブアセンブリが前記体腔内に進入した後前記真空チューブが前記ブラケットと前記脊柱との間に位置するように配置構成される、請求項１から９の何れか一項に記載のデバイス。
【請求項１１】
請求項１から１０の何れか一項に記載の臓器取り出しデバイスを使用して前記体腔へのアクセス開口部を有する屠殺され内臓摘出された家禽の体腔の前記壁から前記屠殺体の前記脊柱に隣接する、前記脊柱の両側の位置にある１つもしくは複数の臓器またはその一部を取り出すための方法であって、
前記家禽の前記アクセス開口部および前記脊柱は前記家禽支持デバイスによって位置決めされ、
端部に少なくとも１つの吸引ノズルを各々有する２つの真空チューブおよび少なくとも２つの掻器をさらに備える前記真空チューブアセンブリは、前記アクセス開口部を通して前記体腔にアクセスすることができ、前記掻器は前記脊柱の両側に配置され、
前記吸引ノズルを介して１つまたは複数の臓器に吸引力が印加され、場合によっては繰り返される、前記脊柱から離れる、または前記脊柱の方に向かう、スイーピング運動が各々の掻器に加えられ、前記掻器は前記体腔の前記壁の領域に沿って掻き取り、前記壁に固着している臓器を緩め、前記領域は前記脊柱の両側に位置し、
前記真空チューブは前記体腔から出すことができる、方法。
【請求項１２】
前記掻器は、肋骨の間の距離と本質的に同じ距離のところに突起部を備え、前記家禽の前記肋骨は前記突起部の間の谷と揃えられる、請求項１１に記載の方法。
【請求項１３】
前記掻器は、前記体腔に進入するときに掻き取らない突起部を備え、前記突起部は前記掻器が前記体腔内に入れられた後に前記体腔の前記壁に沿ってスイープする、請求項１１または１２に記載の方法。
【請求項１４】
各々の掻器は、関連する真空チューブに関して静止するように設けられ、前記スイーピング機構は、前記真空チューブを回転させて前記掻器をスイープするように適合され、前記真空チューブは、前記アクセス開口部を通しての前記体腔へのアクセス時に互いに向かい合い、前記突起部を備える前記真空チューブは、前記掻器が前記体腔内に入れられた後に前記体腔の前記壁に沿ってスイープする、請求項１３に記載の方法。
【請求項１５】
前記真空圧力源は、性能を最適化するために前記チューブとの前記連通を交互に行う、請求項１１から１４の何れか一項に記載の方法。
【発明の詳細な説明】
【技術分野】
【０００１】
本発明は、体腔へのアクセス開口部を有する屠殺され内臓摘出された家禽（slaughtered eviscerated poultry）の体腔の壁から、屠殺体の脊柱に隣接する、脊柱の両側の位置にある１つもしくは複数の臓器またはその一部を取り出すための臓器取り出しデバイス（organ removal device）に関するものである。
【背景技術】
【０００２】
食品に加工するため家禽を屠殺する際に、腎臓および肺などの内臓は屠殺体から完全に取り除かれる必要があり、さもないと、製品が不合格になったり、および／またはその屠殺体の再加工が必要になったりする。家禽の屠殺体の肺および腎臓は、組織薄膜または膜組織で覆われたソケット内の脊柱の両側の壁に面する体腔内に位置している。もちろん、これらの臓器は、内臓摘出処理の際に屠殺体から除去され、取り出されることが重要である。しかし、従来の内臓摘出デバイスによる膜組織で覆われたソケット内に位置している臓器の取り出しには、いくつかの問題点があり、これについて以下で述べることにする。
【０００３】
従来の加工デバイスでは、家禽の屠殺体の体腔から臓器およびはらわたをすくいだすためにスプーンなどの大きな内臓摘出工具を利用することが多い。典型的には、この工具は、屠殺体内のすでに切断されている腹部アクセス開口部を通して、体腔内に挿入され、工具が内臓に圧力を胸部から遠ざかる方向に印加し、脊柱に沿って屠殺体から内臓を引きずり出す。工具は、通常、工具によって容易にアクセス可能な位置で空洞内に比較的露出されている心臓を掴んで引っ張るように設計されている。心臓と肺とを相互接続している血管により、肺が工具によって引っ張られ、心臓とともに空洞から取り出されることが予想される。
【０００４】
このタイプの内臓摘出デバイスは、一般的に、すべての臓器を取り出すわけではない。肺を覆っている膜は、破れない限り、肺の取り出しを妨げることが多い。スプーン様工具では、肺を覆っている膜が効果的に、かつ確実には破られない。心臓と肺とを相互接続している血管に加えられる引っ張り力は、肺がそれぞれのソケットから引き出されるときに膜を破るのに十分な力であり得るけれども、血管は破れる傾向があり、その場合、肺はソケット内に残る。血管が無傷であるとしても、肺は破れる傾向があり、これにより、肺の一部がソケット内に残り得る。
【０００５】
臓器取り出しデバイスは、体腔へのアクセス開口部を有する屠殺され内臓摘出された家禽の体腔壁から、屠殺体の脊柱に隣接する、脊柱の両側の位置にある１つもしくは複数の臓器またはその一部、特に、肺または腎臓を取り出すように特に設計されている。従来の臓器取り出しデバイスは、典型的には、
家禽のアクセス開口部および脊柱を支持し、位置決めするための家禽支持デバイスと、
２つの真空チューブを備える真空チューブアセンブリであって、各真空チューブはその端部に少なくとも１つの吸引ノズルを有し、真空チューブアセンブリは２つの掻器をさらに備え、各掻器は体腔の壁の領域に沿って掻き取り、上記の壁に固着している臓器を緩めるように配置構成され、上記の領域は脊柱の両側に位置し、掻器はノズルに隣接して設けられている、真空チューブアセンブリと、
真空チューブアセンブリを上記のアクセス開口部を通して上記の体腔に出し入れするための真空チューブアセンブリアクチュエータと、
ノズルを介して１つまたは複数の臓器をチューブ内に吸引するため真空チューブと連通する真空圧力源とを備える。
【０００６】
好ましいタイプの真空圧力源は、真空ポンプである。好ましくは、真空圧力は、他の臓器または体部位の不注意による取り出しまたは破損を防ぐように制御される。好ましくは、真空圧力源および取り入れ開口部は、後者が臓器の上に位置するまで相互連通しない。さらに、真空圧力は、屠殺体およびソケットの周りの体部位の取り出しまたは損傷を防ぐため十分に低くなければならない。しかし、いくつかの場合において、真空圧力は、肺を覆う膜を破るには不十分である傾向を有する。
【０００７】
たとえば、米国特許第３８０２０２８号および米国特許第４００４３２０号で開示されているように、真空工具は、脊柱の両側で屠殺体を掻き取るための取り入れ開口部に隣接する位置で外向きに突き出ている掻器を備えている。これらの工具は、体腔内で移動する一般的に鉛直方向の経路に沿って往復し、掻器は膜に沿って接触し、掻き取る。したがって、掻器は、肺の取り出しを円滑にするため膜を引き裂くように実現される。
【先行技術文献】
【特許文献】
【０００８】
【特許文献１】米国特許第３８０２０２８号
【特許文献２】米国特許第４００４３２０号
【発明の概要】
【発明が解決しようとする課題】
【０００９】
しかし、これらの肺取り出しデバイスには、いくつかの問題点もある。特に、掻器は、肺がソケットから丸ごと吸い込まれないように肺を切断する傾向を有し、これにより、肺の断片は体腔内に残ることが多い。掻器はソケットの周りで屠殺体を損傷する傾向も有し、これは見栄えを悪くし、鳥の売却価値を落とす。さらに、屠殺体の後部に沿った掻器の力は、ソケットの近くの骨（すなわち、肋骨）を砕くことも多い。骨折片および骨細片は、消費者にとって危険であり、また見栄えが悪く、鳥の売却価値も落とす。
【００１０】
これらの問題に対処するために、本発明の目的は、家禽の屠殺体の体腔内の膜組織で覆われたソケットから臓器を効果的に、かつ確実に取り出すための改善された臓器取り出しデバイスを実現することである。好ましくは、このデバイスは、高速機械化家禽加工システム内に設けられる。特に、このデバイスは、ソケットの周りの体部位を損傷したりまたは壊したりせず、したがって臓器を取り出す処理工程は鳥の外観または売却価値に悪影響を及ぼさないことが好ましい。
【００１１】
本発明により、この目的は、各々の掻器に、脊柱から離れる、および／または脊柱の方へ向かう、場合によっては繰り返される、スイーピング運動を行わせるように適合されたスイーピング機構が実現されるという点で達成される。
【００１２】
そのため、掻器は、肋骨に垂直な、脊柱の方向に掻き出さないが、一般的に肋骨に平行である、脊柱から離れ、脊柱へ向かう方向に掻き取る。肋骨の方向に掻き取ることによって、肋骨および屠殺体の隣接部位の損傷ならびに肺の切除が防止される。掻器と、取り外された臓器を真空チューブ内に導く隣接するノズルとの組み合わせのこのスイーピング運動は、臓器を効果的に取り除き、取り出す。好ましくは、スイーピング運動は、脊柱から側部の方へ、またはその逆の方向で、脊柱に本質的に垂直である。
【００１３】
本発明による臓器取り出しデバイスは、肺および腎臓などの残っている臓器を取り出すだけでなく、依然として存在している心臓、肺、素嚢、腸、砂嚢などの臓器の一部、さらには体液をも取り出すことに留意されたい。
【課題を解決するための手段】
【００１４】
本発明による臓器取り出しデバイスは、好ましくは、搬送経路に隣接する位置に置かれ、この経路に沿って屠殺された鳥が移動する。臓器取り出しデバイスに先立って、家禽は死なされ、羽毛をむしり取られている。好ましくは、首が取り外されている。さらに、体腔の入口となるようにアクセス開口部（通気開口部）が設けられていなければならず、この開口部を通して内臓摘出が行われている。したがって、体腔は、本質的に空にされているが、肺および腎臓などの臓器の残り部分は、体腔の壁に隣接して、また固着して存在している可能性が高い。本発明による臓器取り出しデバイスは、屠殺体の脊柱に隣接し、脊柱の両側に位置する１つまたは複数の臓器を取り出すのに適している。さらに搬送経路に沿って、家禽は中も外も水で洗浄され得る。
【００１５】
本発明による臓器取り出しデバイスは、脊柱の両側で真空チューブおよび掻器を正確に位置決めできるように家禽のアクセス開口部および脊柱を支持し、位置決めするための家禽支持デバイスを備える。好ましくは、鳥は、その脚で吊って搬送されている。次いで、家禽支持デバイスは、好ましくは、肩の下の肩支持部、および動物の脚を広げるスプレッダーデバイス（spreader device）を備えることができる。場合によっては、肩支持部およびスプレッダーの相対的位置は調整可能である。
【００１６】
本発明によれば、真空チューブ、吸引ノズル、および掻器を備える真空チューブアセンブリが実現される。１つまたは複数の吸引ノズルを備える真空チューブは、従来技術から知られている。
【００１７】
本発明による吸引ノズルは、開口部として、一般的にはチューブの一端の側部に沿って形成された卵形の開口部または真空ポートとして形成することができ、これを通して真空源が１つまたは複数の臓器に吸引力を印加することができる。開口部は、端部の近くの、チューブの壁に形成され得る。好ましくは、吸引ノズルは、斜めに切断されている、真空チューブのヘッド端として形成される。
【００１８】
掻器は、ノズルに隣接して設けられて、体腔の壁の領域に沿って掻き取り、前記壁に固着している臓器を緩める。前記領域は、脊柱の両側に位置している。好ましくは、掻器は取り外された臓器を真空チューブ内に導く。真空チューブの端部に容器が設けられ、これにより、本発明の臓器取り出しデバイスを使用して取り出された１つまたは複数の臓器または部分を回収する。掻器を、たとえば、掻器を真空チューブに移動可能に取り付けることによって、ノズルの前に設けることが可能である。あるいは、掻器は、ノズルを画成するチューブ部分に隣接して設けられる。場合によっては、掻器は、掻器がチューブおよびノズルと一緒に移動可能なように、関連する真空チューブに関して固定されて設けられる、たとえば、ノズルを画成するチューブ部分に取り付けられるか、または一体形成される。吸引ノズルが、斜めに切断されている、真空チューブのヘッド端として形成されている場合、掻器は、好ましくは、ノズルを形成する真空チューブの端部に設けられた突起部によって形成される。
【００１９】
本発明により、各々の掻器に、脊柱から離れる、および／または脊柱の方へ向かう、場合によっては繰り返される、スイーピング運動を行わせるように適合されたスイーピング機構が実現される。スイーピングは、好ましくは、掻器が胸骨の方向に脊柱から両方の掻器に対して好ましくは９０°から１８０°の範囲で体腔の後壁を掻き取ることを可能にする。
【００２０】
スイーピング機構は、個別の駆動機構または真空チューブアクチュエータと結合された駆動機構を備える。好ましくは、吸引力を印加する同じ真空圧力源を使用する真空作動式駆動機構が実現される。たとえば、代替的駆動機構は、掻器のスイーピング運動を空気圧によって行わせる空気圧システムである。さらなる代替的スイーピング駆動機構は、掻器のスイーピング運動を行わせる、ガイドで誘導される突起部を備える。
【００２１】
掻器のスイーピング運動は、好ましくは、脊柱に本質的に平行な回転軸に沿って掻器を回転させることによって達成される。あるいは、スイーピング運動は、並進運動である。掻器は反対方向にスイープすることが好ましい。しかし、あまり好ましくないけれども、掻器を同じ方向に回転させることも可能である。
【００２２】
好ましい一実施形態において、スイーピング機構は、掻器が体腔に入るときに掻き取らないように配置される進入モードと、スイーピング機構が各々の掻器にスイーピング運動を行わせることができる、前記体腔内に掻器が入れられた後の操作モードとの間で移動可能である。これは、進入時に掻器によって後壁の臓器および肋骨が損傷するのを防ぐことができる。
【００２３】
たとえば、進入モードにおいて、掻器が突起部、たとえば剛毛を備える一実施形態では、突起部を遮蔽するために遮蔽手段が備えられる。あるいは、掻器は、スイーピング機構により掻器が突き出ない進入位置に掻器が配置されたとき、たとえば、進入時に掻器が互いに向かい合うときに、進入することが可能なように形成され得る。体腔内に進入した後、スイーピング機構は操作モードに移行し、これにより掻器は脊柱から離れて、および／または脊柱の方へスイープすることができる。
【００２４】
好ましい一実施形態において、掻器は、関連する真空チューブに関して固定されて設けられ、掻器は、真空チューブのノズルから離れて突き出る突起部を備える。そのようなものとして、操作モードでは、スイーピング機構は真空チューブを回転させて掻器をスイープするように適合される。この実施形態では、進入モードにおいて、真空チューブの掻器は体腔への進入時に互いに向かい合い、これにより掻器が進入時に掻き取らないようにできる。そのようなものとして、真空ノズルの位置決めに先立つ肋骨および臓器の損傷は防止される。
【００２５】
可能な一実施形態において、掻器は、関連する真空チューブに関して固定されて設けられ、スイーピング機構は、真空チューブをその長手方向軸の周りに回転させて掻器をスイープするように適合される。これにより、臓器取り出しデバイスの配置構成が比較的簡単に行える。
【００２６】
可能な一実施形態において、真空チューブは、その長さにわたって湾曲している。この実施形態では、真空チューブは、脊柱に隣接する回転軸の周りでスイーピング機構とともに回転され得る。そのようなものとして、掻器は、体腔の壁に沿って動かすことができる。
【００２７】
代替的一実施形態では、掻器は、真空チューブに移動可能に、好ましくは回転可能に取り付けられ、スイーピング機構が掻器を駆動する。チューブに移動可能に取り付けられている回転可能な掻器を備える一実施形態では、掻器の回転軸は、掻き取り手段の端部が体腔の壁に接触するような掻器の寸法に対応する距離だけ脊柱から隔てて並ぶ。掻器は、たとえば、剛毛を有するブラシを備えることができる。そこで、掻器の回転軸と脊柱との間の距離は、好ましくは剛毛の長さに対応する。
【００２８】
好ましくは、掻器は、鳥の肋骨の間の距離と本質的に同じ距離のところに突起部を備え、家禽の肋骨が突起部の間の谷に揃えられ得る。この距離は、好ましくは２ｍｍ〜６ｍｍの範囲内であり、なおいっそう好ましくは３ｍｍ〜４ｍｍの範囲内である。そのため、家禽は、そのような位置合わせが可能なようにわずかな範囲内で移動させることができる。そのようなものとして、肋骨の損傷はさらにもっと防がれ、臓器取り出しはさらに最適化される。突起部は、比較的鋭利であるか、または丸みがある（blunt）か、あるいは剛毛を備えるものとしてよい。なおいっそう好ましくは、突起部は同じ方向に延在する。
【００２９】
一実施形態において、突起部は同じ方向に延在する。掻器が、異なる方向に延在する複数の突起部を備える場合、異なる突起部が肋骨の異なる部分を掻き取るので、スイープをより小さな角度にわたって延ばせる場合がある。すべての臓器が取り除かれる前に複数のスイープが実行されることが企図され得る。スイープする掻器は、取り除かれた臓器を真空チューブのノズル内に導き、臓器をチューブ内に吸引する。
【００３０】
一実施形態において、真空源は、性能を最適化するようにチューブとの連通を交互に行う。
【００３１】
好ましい一実施形態において、真空チューブアセンブリは、真空チューブに本質的に平行に、また隣接して延在するブラケットをさらに備え、ブラケットの先端部はブラケットの先端部が最初にアクセス開口部に入るように吸引ノズルを越えて延在し、ブラケットおよび真空チューブは真空チューブアセンブリが体腔内に進入した後真空チューブがブラケットと脊柱との間に位置するように配置構成される。このブラケットの利点は、ブラケットの先端部がアクセス開口部のところにたくさんある肉を移動させて吸引チューブがそのような肉で詰まるのを防ぐという点である。さらに、真空チューブアセンブリの進入を円滑にすることができる。さらに、ブラケットは、吸引チューブの背後に開放領域を画成し、これにより、真空で臓器および空気が除去された体腔の内側の領域にある程度の空気を確実に供給することができる。
【００３２】
本発明は、先行する請求項の１つまたは複数による臓器取り出しデバイスを使用して体腔へのアクセス開口部を有する屠殺され内臓摘出された家禽の体腔の壁から、屠殺体の脊柱に隣接する、脊柱の両側の位置にある１つもしくは複数の臓器またはその一部を取り出すための方法にさらに関係し、
家禽のアクセス開口部および脊柱は家禽支持デバイスによって位置決めされ、
端部に少なくとも１つの吸引ノズルを有する少なくとも１つの真空チューブおよび少なくとも２つの掻器を備える真空チューブアセンブリは、前記アクセス開口部を通して体腔にアクセスすることができ、掻器は脊柱の両側に配置され、
ノズルを介して１つまたは複数の臓器に吸引力が印加され、場合によっては繰り返される、脊柱から離れる、および／または脊柱の方に向かう、スイーピング運動が各々の掻器に加えられ、掻器は体腔の壁の領域に沿って掻き取り、前記壁に固着している臓器を緩め、前記領域は脊柱の両側に位置し、
真空チューブは体腔から出すことができる。
【００３３】
好ましくは、掻器は肋骨の間の距離と本質的に同じ距離のところに突起部を備え、家禽の肋骨は突起部の間の谷と揃えられる。
【００３４】
好ましくは、掻器は、体腔に進入するときに掻き取らない突起部を備え、その突起部は掻器が前記体腔内に入れられた後に体腔の壁に沿ってスイープする。
【００３５】
好ましくは、２つの真空チューブが設けられ、真空源は、性能を最適化するようにチューブとの連通を交互に行う。
【００３６】
本発明は、図面に関してさらに説明される。
【図面の簡単な説明】
【００３７】
【図１ａ】家禽が位置決めされているときの本発明による臓器取り出しデバイスの一部を表す概略図である。
【図１ｂ】家禽が位置決めされているときの本発明による臓器取り出しデバイスの一部を表す概略図である。
【図２ａ】真空チューブを備える本発明による臓器取り出しデバイスの一部を表す概略図である。
【図２ｂ】真空チューブを備える本発明による臓器取り出しデバイスの一部を表す概略図である。
【図３ａ】真空チューブが体腔内に進入したときの本発明による臓器取り出しデバイスの一部を表す概略図である。
【図３ｂ】真空チューブが体腔内に進入したときの本発明による臓器取り出しデバイスの一部を表す概略図である。
【図４ａ】真空チューブおよび臓器取り出しデバイスの代替的構成を示す図である。
【図４ｂ】真空チューブおよび臓器取り出しデバイスの代替的構成を示す図である。
【図４ｃ】真空チューブおよび臓器取り出しデバイスの代替的構成を示す図である。
【図５ａ】真空チューブのさらに代替となる構成を示す図である。
【図５ｂ】真空チューブのさらに代替となる構成を示す図である。
【図６ａ】真空チューブのさらに代替となる構成を示す図である。
【図６ｂ】真空チューブのさらに代替となる構成を示す図である。
【図６ｃ】真空チューブのさらに代替となる構成を示す図である。
【図７ａ】本発明による臓器取り出しデバイスの一部のさらに代替となる構成を示す図である。
【図７ｂ】本発明による臓器取り出しデバイスの一部のさらに代替となる構成を示す図である。
【図８ａ】本発明による臓器取りだしデバイスのさらなる代替的構成を示す図である。
【図８ｂ】異なる視点からの拡大図による図８ａの詳細を示す図である。
【図８ｃ】異なる視点からの拡大図による図８ａの詳細を示す図である。
【図９】異なる配置構成で図８のデバイスを示す図である。
【図１０ａ】異なる配置構成で図８のデバイスの詳細を示す図である。
【図１０ｂ】ブラケットなしの図１０ａの同じ詳細を示す図である。
【図１１】図８の臓器取り出しデバイスのスイーピング機構の詳細を示す図である。
【図１２】図８の臓器取り出しデバイスのスイーピング機構の詳細を示す図である。
【図１３ａ】本発明によるスイーピング運動の一例を示す概略図である。
【図１３ｂ】本発明によるスイーピング運動の一例を示す概略図である。
【図１３ｃ】本発明によるスイーピング運動の一例を示す概略図である。
【図１３ｄ】本発明によるスイーピング運動の一例を示す概略図である。
【図１４】本発明による臓器取り出しデバイスのさらなる代替的構成を示す図である。
【発明を実施するための形態】
【００３８】
図１〜図３において、本発明による臓器取り出しデバイス１０は、臓器取り出しの後続段階で示されている。屠殺され内臓摘出された家禽１は、その脚１ａで従来の脚フック（leg hook）２に吊り下げられる。家禽は、その体腔へのアクセス開口部３を有する。体腔において、取り出される１つまたは複数の臓器は、屠殺体の脊柱５に隣接して、脊柱の両側に位置する。図１ｂ、図２ｂ、図３ｂにおいて、脊柱５および、体腔内の脊柱５の反対側に配置されている胸骨１ｄは概略が示されている。
【００３９】
臓器取り出しデバイス１０は、家禽のアクセス開口部および脊柱５を支持し、位置決めするための家禽支持デバイスを備える。図示されている実施形態では、家禽支持デバイスは、家禽の脚１ａを広げ、アクセス開口部の領域から邪魔なものをなくすための脚スプレッダー（leg spreader）１１と、吊られている家禽の翼１ｂに隣接する肩を誘導するための肩ガイド１２とを備える。吊られている家禽の首１ｃの一部は、肩ガイド１２の間に見えている。脚スプレッダー１１と肩ガイド１２との組み合わせで、吊られている家禽の脊柱およびアクセス開口部の位置決めを正確に行える。図１ａに示されているように、家禽は、点線で示されている位置から実線で示されている位置まで、方向Ａに臓器取り出しデバイス１０を進入させることができる。
【００４０】
代替的（図示せず）家禽支持デバイスも、たとえば、家禽がその脚で吊り下げられていないが、支持されているときに、または肩ガイドなしで、たとえば、翼および肩が臓器取り出しデバイスに先立って取り除かれているときに、企図され得る。
【００４１】
脚スプレッダー１１および肩ガイド１２は、臓器取り出しデバイスの支持体１３によって支持される。図示されている実施形態では、脚スプレッダー１１に関して肩ガイド１２の位置を調整するための調整機構１２ａが設けられており、異なるサイズの家禽の臓器を取り出すべきときに有利である。たとえば、デバイスは、ニワトリ、メンドリ、およびシチメンチョウの臓器を取り出すのに適している。
【００４２】
図２ａおよび図２ｂには、臓器取り出しデバイス１０の２つの真空チューブ２０が見えている。両方の真空チューブ２０が、端部にノズル２１（図２ｂでは１つのみ見えている）を備えている。さらに、両方の真空チューブ２０は、掻器２２を備えるが、ここではノズルを画成するチューブ部分に設けられている（このため、１つの掻器しか見えない）。このため、掻器２２は、真空チューブ２０に関して固定されて設けられている。掻器は、脊柱の両側に配置されるように相隔てて並び、体腔の壁から１つまたは複数の臓器を掻き取り、取り除かれた臓器を真空チューブ内に導くのに適している。掻器の歯２２ａは、家禽の肋骨の間の距離にほぼ等しい距離で相隔てて並ぶ。そのようなものとして、肋骨の損傷はさらにもっと防がれ、臓器取り出しはさらに最適化される。
【００４３】
図示されている実施形態では、突起部は、脊柱の方向で家禽の背部に面する。進入時に掻器が後壁の臓器および肋骨を損傷する恐れがあるため、これはあまり好ましくない。掻器を備える真空チューブは、アクセス開口部を通しての体腔へのアクセス時に互いに向かい合うのが好ましく、突起部を備える真空チューブは、掻器が上記の体腔内に入れられた後に体腔の壁に沿ってスイープする。ノズルが体腔内に入るときに互いに向かい合う場合、掻器が進入時に掻き取りをすることが防止され、これにより真空ノズルの位置決めに先立つ肋骨および臓器が損傷することを防ぐ。
【００４４】
図示されている実施形態では、真空チューブ２０に隣接して保護ブラケット２５が脊柱から離れて真空チューブの側に設けられ、このブラケットは、真空チューブアセンブリの一部である。保護ブラケット２５は、真空チューブに本質的に平行に、また隣接して延在し、保護ブラケットの先端部２５ａはブラケットの先端部が最初にアクセス開口部に入るように吸引ノズルを越えて延在する。これにより、真空チューブアセンブリの体腔内への進入が円滑になされる。保護ブラケット２５の先端部は、アクセス開口部の前の物質を押しのけることができ、このため、真空チューブが、脊柱に隣接する位置に到達する前に詰まるのを防ぐ。ブラケットおよび真空チューブは真空チューブアセンブリが体腔内に進入した後真空チューブがブラケットと脊柱との間に位置するように配置構成される。そのようなものとして、保護ブラケット２５は、掻器が回転するときに、掻器が脊柱から反対にある、体腔の反対側の壁と接触するのを防ぐ。そのようなものとして、保護ブラケット２５は、掻器が胸骨の付近の体腔の壁を掻き取るのを防ぐ。最後に、保護ブラケット２５は、体腔内で真空チューブアセンブリを正確に位置決めするのに役立ち得る。
【００４５】
モーターユニット３１を備える真空チューブアクチュエータ３０は、真空チューブを矢印Ｂの方向で下方に移動し、ノズルがアクセス開口部３を通して体腔に進入するのを可能にするが、これは図２ａ、図２ｂ、図３ａ、および図３ｂに示されているとおりである。真空チューブアクチュエータ３０は、その後、真空チューブを図３ａに示されている方向Ｄに体腔から出すことができる。
【００４６】
真空圧力源（図示せず）は、真空チューブが体腔内に進入してノズルを介して１つまたは複数の臓器に吸引力を印加したときに、真空チューブと連通させられることができる。
【００４７】
本発明によれば、掻器を、脊柱から離れる方へ、および／または脊柱の方へスイープするためのスイーピング機構３５が設けられる。図示されている実施形態では、スイーピング機構３５は、矢印Ｃで示される回転運動を掻器が設けられている真空チューブに行わせるモーターユニット３６を備える。このため、真空チューブ２０の長手方向軸に対応する回転軸の周りに真空チューブを回転させることによって、ノズル２１と掻器２２の両方を脊柱に本質的に垂直な方向に回転させることができ、これにより、掻器を家禽の肋骨に沿って動かすことができる。
【００４８】
図４ａ〜図４ｃにおいて、２つの真空チューブ５０の代替的実施形態が示されている。図１〜図３の実施形態と同様に、各々の真空チューブは、端部のところにノズル５１を、またここではノズルを画成するチューブ部分に設けられている、掻器５２を備える。掻器は、脊柱の両側に配置されるように相隔てて並び、体腔の壁から１つまたは複数の臓器を掻き取り、方向Ｅに取り除かれた臓器を真空チューブ内に導くのに適している。掻器の歯５２ａは、家禽の肋骨の間の距離にほぼ等しい距離で相隔てて並ぶ。
【００４９】
真空チューブは、図４ｂに示されている方向Ｋで体腔に進入し、体腔から出ることができる。
【００５０】
図１〜図３の実施形態と異なり、真空チューブ５０は、肋骨に隣接する臓器に到達するのに有利である、その長さにわたって曲がっている湾曲端部分５０ａを備える。この実施形態では、掻器５２は、真空チューブ５０に関して固定されて設けられており、スイーピング機構は、掻器が上記の体腔内に入れられた後に体腔の壁から臓器の少なくとも一部を取り除くために、脊柱から離れる方向に、および／または脊柱の方向に掻器５２とともに真空チューブ５０を回転させるために備えられている。湾曲端部分５０ａを備えたこの実施形態は、真空チューブの曲がっていない部分の長手方向軸と異なる真空チューブ５０の回転軸を必要とする。好ましくは、スイーピング機構の回転軸は、掻器が体腔の壁に沿って動くように脊柱に隣接する。これは、図４ｂに概略として示され、回転は文字Ｌで示され、回転軸は点線５９で示されている。
【００５１】
好ましくは、掻器５２を備えるノズル５１は体腔の進入時に互いに向かい合い、真空チューブアセンブリが体腔内に完全に入ったときのみ図４ｂに示されている位置まで回転する。図４ｂの位置は、開始位置と見なすことができ、開始した後、ノズル５１および掻器５２は、反対の外向きの方向に回転させることができ、各々のノズルおよび取り付けられている掻器は、脊柱から、胸骨の方向に、最大１８０°までの範囲の角度で、より好ましくはそれより小さく、たとえば、１００°移動する。
【００５２】
図５ａおよび図５ｂに、真空チューブ６０、７０の代替的実施形態が図示されており、これらは図１〜図３に示されている装置において使用するのに適している。図１〜図４の実施形態と同様に、図５ａの実施形態では、２つの真空チューブ６０が設けられており、これは端部のところのノズル６１および真空チューブ６０に取り付けられている突起部６２ａを備える掻器６２を具備し、したがって、真空チューブ６０に関して固定されて設けられている。本発明により、スイーピング機構は、掻器６２をスイープするために真空チューブを回転させる。
【００５３】
スイーピング機構は、掻器が上記の体腔内に入れられた後に体腔の壁から臓器の少なくとも一部を取り除くために、脊柱から側部の方へ、脊柱に本質的に垂直な、反対方向ＯおよびＯ’に掻器６２の突起部６２ａをスイープする。スイーピング機構は、掻器６２の突起部６２ａが互いに向かい合い、体腔内に進入するときに掻き取ることができないように体腔の進入前に真空チューブを回転させてあることが好ましい。
【００５４】
図５ｂの実施形態において、真空チューブ７０は、ノズル７１および掻器７２を備え、掻器７２は反対方向に延在する突起部７２ａを備える。
【００５５】
図６ａ〜図６ｃに、本発明による真空チューブのさらなる代替的実施形態が図示されており、これらは図１〜図３に示されている装置において使用するのにも適している。
【００５６】
図６ａ〜図６ｃの実施形態の各々において、２つの真空チューブ８０が設けられ、各々の真空チューブはノズル８５およびノズルの前の掻器８４ａ、８４ｂ、８４ｃを備える。
【００５７】
すべての掻器８４ａ〜８４ｃは、掻器が上記の体腔内に入れられた後に体腔の壁に沿ってスイープする突起部を備える。掻器は突起部を備え体腔に進入するときに掻き取らないのが好ましい。これは、掻器８４ｂを互いに向かい合うように、または掻器８４ｃをノズルに本質的に平行になるように配置することによって達成され得る。掻器８４ａは、これらの掻器の剛毛を覆う遮蔽（図示せず）によって遮蔽され得る。
【００５８】
図６ａおよび図６ｂの実施形態において、各々の掻器は、ノズルに隣接して位置するように、接続手段８１を介して真空チューブに回転可能に取り付けられる。図６ｃの実施形態において、掻器は両方とも、真空チューブアセンブリのフレーム部分８３に取り付けられている、フレーム８２に回転可能に取り付けられる。そのようなものとして、真空チューブに関して掻器を両方とも回転させることが可能であるが、掻器８４ｃとは無関係に真空チューブ８０を固定または回転させることも可能である。
【００５９】
本発明によるスイーピング機構は、文字ＸおよびＹで示されている反対方向に掻器を回転させることができ、したがって、掻器が上記の体腔内に入れられた後に体腔の壁から臓器の少なくとも一部を取り除くために、脊柱から離れる方向に、および／または脊柱の方にスイープする。したがって、真空チューブは、スイーピング機構の影響を受けない。
【００６０】
図７ａおよび図７ｂにおいて、本発明による臓器取り出しデバイス１００の代替的実施形態が図示されており、特に、真空チューブアセンブリは２つの真空チューブ１０１、１０２を備え、各真空チューブはその端部においてそれぞれ吸引ノズル１０３、１０４を備えることが示されている。真空チューブアセンブリは２つの掻器１０５、１０６をさらに備え、これらは各々体腔の壁の領域に沿って掻き取り、上記の壁に固着している臓器を緩めるように配置構成される。上記の領域は、脊柱の両側に位置する。掻器１０５、１０６は、それぞれ、ノズル１０３、１０４に隣接して設けられる。掻器１０５、１０６は、図８ｂに見えている、平行四辺形１０８を用いて図示されている実施形態において、真空チューブアセンブリの一部である掻器キャリア１０７によって支持される。
【００６１】
スイーピング機構１０９は、各々の掻器に、脊柱から離れる、および／または脊柱の方へ向かう並進スイーピング運動を行わせることができる。図示されている実施形態では、スイーピング機構は、真空ポート１１１および戻しバネ１１０を備える真空作動式シリンダー１０９を具備する。
【００６２】
真空チューブアセンブリは、真空チューブの先端部および掻器を越えて延在する、保護ブラケット２５に類似している、保護ブラケット１１５をさらに備える。保護ブラケット２５の目的は、体腔内に真空チューブアセンブリを進入しやすくすることにある。保護ブラケット２５は、アクセス開口部の前の物質を押しのけることができる。さらに、保護ブラケット２５は、掻器が回転するときに、掻器が脊柱から反対にある、体腔の反対側の壁と接触するのを防ぐ。このため、保護ブラケット２５は、掻器が胸骨の付近の体腔の壁を掻き取るのを防ぐ。最後に、保護ブラケット２５は、体腔内で真空チューブアセンブリを正確に位置決めするのに役立ち得る。
【００６３】
図８〜図１２において、本発明による臓器取り出しデバイス２００が図示されている。対応する部分は、同じ参照番号で示されている。図示されている実施形態では、臓器取り出しデバイス２００は、屠殺され内臓摘出された家禽の体腔へのアクセス開口部を支持し、位置決めするためのスプレッダー２１０が固定されるフレーム２０５を備える。スプレッダーは、家禽支持デバイスの一部であり、これは好ましくは、ただし図示されていないが、吊られている家禽の翼に隣接する肩を誘導するための肩ガイドをさらに備える。
【００６４】
臓器取り出しデバイス２００は、２つの真空チューブ２２１、２２２を備える真空チューブアセンブリ２２０をさらに備え、各真空チューブはその端部に吸引ノズル２２１ａ、２２２ａを有する。本発明によれば、真空チューブアセンブリ２２０は２つの掻器をさらに備え、各掻器は体腔の壁の領域に沿って掻き取り、上記の壁に固着している臓器を緩めるように配置構成され、上記の領域は脊柱の両側に位置する。図示されている実施形態では、掻器２２１ｂおよび２２２ｂは、真空チューブ２２１、２２２の一部として形成され、掻器はこれによりノズル２２１ａ、２２２ａの一部を画成する。
【００６５】
好ましいことだが、図示されている実施形態の真空チューブアセンブリ２２０は、真空チューブ２２１、２２２に本質的に平行に、また真空チューブ２２１、２２２に隣接して延在するブラケット２２３をさらに備え、ブラケット２２３ａの先端部はブラケットの先端部が最初にアクセス開口部に入るように吸引ノズル２２１ａ、２２２ａを越えて延在し、ブラケット２２３および真空チューブ２２１、２２２は真空チューブアセンブリ２２０が体腔内に進入した後真空チューブがブラケットと脊柱との間に位置するように配置構成される。これにより、空気の供給が確実になされ、真空吸引時に除去された空気を埋め合わせることができる。
【００６６】
真空チューブアセンブリ２２０は、臓器取り出しデバイス２００のフレーム２０５に移動可能に取り付けられる。
【００６７】
臓器取り出しデバイス２００は、フレーム２０５に沿って、上記のアクセス開口部を通して、またスプレッダー２１０を通して、真空チューブアセンブリ２２０を体腔に出し入れするための真空チューブアセンブリアクチュエータ２３０を備える。図８に示されているように、真空チューブアクチュエータ２３０は、臓器取り出しデバイスのガイド（図示せず）によって誘導され得る突起部２３１を備える。そのようなものとして、真空チューブアセンブリ２２０の移動が制御される。代替的アクチュエータも企図され得る。
【００６８】
真空チューブと連通している真空圧力源は、この実施形態では図示されていない。
【００６９】
本発明によれば、各々の掻器に、脊柱から離れる、および／または脊柱の方へ向かう、スイーピング運動を行わせるためのスイーピング機構２４０が設けられる。図示されている実施形態では、特に図１１、図１２を参照すると、スイーピング機構２４０は、突起部２４１ａ、２４１ｂを備え、これらはそれぞれ吸引チューブ２２１、２２２のところに設けられている。これらの突起部は、ガイド部材２４２の陥凹部２４２ａ内で摺動し得る。真空チューブアクチュエータ２３０に類似する、ガイド部材２４２は、臓器取り出しデバイス２００のフレーム２０５に移動可能に取り付けられる。ガイド部材２４２は、臓器取り出しデバイスのガイド（図示せず）によって誘導され得る突起部２４３を備える。そのようなものとして、ガイド部材２４２と真空チューブアセンブリ２２０との間の距離は増大されることが可能であり、その結果、突起部２４１ａ、２４１ｂはガイド部材２４２内で摺動し、その結果、真空チューブが回転し、したがって掻器も回転する。
【００７０】
垂直軸の周りに両方の吸引チューブを回転させることによって、ノズルおよび掻器は回転し、その結果、掻器はこの実施形態では脊柱から離れる方へスイープされる。そのようなものとして、肋骨の方向に掻き取り運動が伝えられ、その結果、体腔からの肺の取り出しなどの、臓器取り出しが円滑に行われる。
【００７１】
図８ａに、臓器取り出しデバイス２００が示されており、スイーピング機構２４０は進入モードに入っている。このモードでは、スイーピング機構は、掻器２２１ｂ、２２２ｂを、体腔内に進入するときに掻き取らないように配置させている。掻器の歯は、ノズル２２１ａ、２２２ａが互いの方へ回転すると互いに向かい合う。これは、図８ｂおよび図８ｃに２つの異なる視点から拡大図で示されている。
【００７２】
図９では、図８の臓器取り出しデバイス２００は、真空チューブアセンブリがスプレッダー２１０を通して家禽（図示せず）の体腔内に進入した状況に対応する構成のものである。掻器２２１ｂ、２２２ｂは、依然として図８の進入位置に留まる。真空チューブアセンブリは、吸引チューブが体腔内の肺の位置に揃えられるまで体腔内に進入することができる。この位置は、吊られている家禽の翼に隣接する肩を誘導する肩ガイド（図示せず）の助けを借りて正確に決定され得る。
【００７３】
真空チューブアセンブリ２２０が体腔内に完全に入った後、掻器は、スイーピング機構が各々の掻器にスイーピング運動を行わせる動作モードまで回転される。これは、図１０ａに示されており、また図１０ｂにはさらによく示されており、ブラケット２２３はわかりやすくするため省略されている。ノズルおよび掻器は、胸骨の方向に脊柱から外向きに回転し、これにより、掻器は脊柱に近い肋骨に沿って取り出される臓器内に移動される。掻き取りの際に、真空圧力源が作動し、掻き取られた臓器を取り出す。真空は両方のチューブに、同時にまたは交互に与えられ得る。
【００７４】
スイーピング運動は、掻器の単一のスイープであるか、あるいは、繰り返されるスイーピング運動であるものとしてよい。
【００７５】
臓器を取り出した後、真空チューブアセンブリは、家禽の体腔から外へ移動される。
【００７６】
図１１および図１２において、真空チューブ２２１、２２２は、突起部２４１ａ、２４２ｂがそれぞれガイド２４２ａ、２４２ｂの端部に到達するまで回転される。掻器は、この実施形態で可能になる程度に脊柱から遠ざかるように回転しており、そのようなものとして、体腔から肺、および場合によっては他の臓器も掻き出している。
【００７７】
図１３ａ〜図１３ｄでは、本発明によるスイーピング運動の一例が概略として示されている。屠殺され内臓摘出された家禽の体腔３０１は、断面で図示されている。肋骨３０６が見えており、また脊柱３０５も見えている。体腔３０１内に、肺３０３を含む、２つの肺腔３０４がある。
【００７８】
２つの真空チューブ３０２、３０７が見えており、各々掻器３１２、３１７をそれぞれ備える。真空チューブ３０２、３０７は、それぞれ方向Ｘ、Ｙで互いの方へ回転可能である。そのようなものとして、真空チューブの回転の結果、脊柱３０５の方への、また脊柱３０５から離れる掻器のスイーピング運動が生じる。そこで、この実施形態における本発明によるスイーピング機構は、真空チューブ３０２、３０７の回転に対応する。
【００７９】
図１３Ａにおいて、掻器３１２、３１７は、進入モードで示されており、掻器は、体腔内に進入するときに掻き取らないように配置される。掻器３１２、３１７は互いに向かい合い、真空チューブのフットプリント（footprint）を越えて延在しない。
【００８０】
図１３Ｂにおいて、掻器は脊柱３０５の方へ回転しており、肺腔３０４に今まさに進入するところである。掻器は、損傷を防ぐため、脊柱に接触しない。掻き取りが生じないこの進入モードは、好ましくは、首に隣接する一番下側部分（家禽は上下逆さに吊されている）において掻器およびノズルが完全に体腔内に進入してしまうまで維持される。
【００８１】
図１３ｃおよび図１３ｄにおいて、掻器の操作モードが図示されており、スイーピング機構は、各々の掻器に、肋骨の方向に、脊柱から離れるスイーピング運動を行わせ、それにより図１３ｃおよび図１３ｄに示されているように肋骨から肺を掻き取る。
【００８２】
図１３ｄにおいて、スイーピング運動の終わりが図示されており、掻器は、（この実施形態では）最大範囲まで外向きに移動しており、また肺腔から肺３０３を取り出している。参照番号３１５により、真空チューブの吸引ノズルの概略が表されている。真空が図１３ｄに示されている状況において吸引ノズル３１５に印加された後、肺は、体腔から取り出されることになる。
【００８３】
図１４において、本発明による真空チューブアセンブリ４０１のさらなる代替的構成およびスイーピング機構４１０が図示されている。真空チューブアセンブリ４０１は、２つの真空チューブ４０２、４０３を備え、各真空チューブは一端に吸引ノズル４０２ａ、４０３ａを有する。掻器は、見えていない。家禽支持デバイスも図示されていない。各々の掻器に、脊柱から離れる、および／または脊柱の方へ向かう、スイーピング運動を行わせるように適合されたスイーピング機構４１０は、この実施形態では空気圧機構である。
【符号の説明】
【００８４】
１  屠殺され内臓摘出された家禽
２  脚フック
３  アクセス開口部
５、３０５  脊柱
１ａ  脚
１ｂ  翼
１ｃ  首
１ｄ  胸骨
１０、１００、２００  臓器取り出しデバイス
１１  脚スプレッダー
１２  肩ガイド
１３  支持体
２０、５０、６０、７０、８０、１０１、１０２、２２１、２２２、３０２、３０７、４０２、４０３  真空チューブ
２１、５１、６１、７１、８５  ノズル
２２、５２、６２、７２、８４ａ、８４ｂ、８４ｃ、１０５、１０６、３１２、３１７、２２１ｂ、２２２ｂ  掻器
２５、１１５  保護ブラケット
３０  真空チューブアクチュエータ
３１、３６  モーターユニット
３５、２４０、４１０  スイーピング機構
５９  点線
８１  接続手段
８２、２０５  フレーム
８３  フレーム部分
１２ａ  調整機構
２２ａ、５２ａ  歯
２５ａ  保護ブラケットの先端部
５０ａ  湾曲端部分
６２ａ、７２ａ、２３１、２４３、２４１ａ、２４１ｂ  突起部
１０３、１０４、２２１ａ、２２２ａ、４０２ａ、４０３ａ  吸引ノズル
１０７  掻器キャリア
１０８  平行四辺形
１０９  真空作動式シリンダー
１１０  戻しバネ
１１１  真空ポート
２１０  スプレッダー
２２０、４０１  真空チューブアセンブリ
２２３、２２３ａ  ブラケット
２３０  真空チューブアセンブリアクチュエータ
２４２  ガイド部材
３０１  体腔
３０３  肺
３０４  肺腔
３０６  肋骨
２４２ａ、２４２ｂ  ガイド
２４２ａ  陥凹部
【図１ａ】
0005977360.tif 000002
【図１ｂ】
0005977360.tif 000003
【図２ａ】
0005977360.tif 000004
【図２ｂ】
0005977360.tif 000005
【図３ａ】
0005977360.tif 000006
【図３ｂ】
0005977360.tif 000007
【図４Ａ】
0005977360.tif 000008
【図４Ｂ】
0005977360.tif 000009
【図４Ｃ】
0005977360.tif 000010
【図５Ａ】
0005977360.tif 000011
【図５Ｂ】
0005977360.tif 000012
【図６ａ】
0005977360.tif 000013
【図６ｂ】
0005977360.tif 000014
【図６ｃ】
0005977360.tif 000015
【図７Ａ】
0005977360.tif 000016
【図７Ｂ】
0005977360.tif 000017
【図８Ａ】
0005977360.tif 000018
【図８Ｂ】
0005977360.tif 000019
【図８Ｃ】
0005977360.tif 000020
【図９】
0005977360.tif 000021
【図１０Ａ】
0005977360.tif 000022
【図１０Ｂ】
0005977360.tif 000023
【図１１】
0005977360.tif 000024
【図１２】
0005977360.tif 000025
【図１３Ａ】
0005977360.tif 000026
【図１３Ｂ】
0005977360.tif 000027
【図１３Ｃ】
0005977360.tif 000028
【図１３Ｄ】
0005977360.tif 000029
【図１４】
0005977360.tif 000030